(57)【要約】本発明は、マストイドを通じて高音帯域の震動を出力するとともに円筒状の中低音伝達部材を通じて中低音帯域の震動を出力することによりイヤホンから出力される音響の效率を向上させる震動型イヤホンにおいて、フェースプレート、ボイスコイル、マグネットが結合されたバスケット、及びカバーを含んで震動で音響を出力する震動部材と、前記震動部材を内部に収納して耳の外壁を通じて中低音の震動を出力する中低音伝達部材と、前記中低音伝達部材を貫きながら前記震動部材のフェースプレートの中央部に形成されたホールに挿入されて結合される突起を通じて前記フェースプレートから発生された高音帯域の震動を出力するマストイドを含む。【選択図】図３
2012529835.tif 000002
【特許請求の範囲】
【請求項１】
震動を音響に変換して伝導する震動型イヤホン200において、
フェースプレート211、ボイスコイル212、マグネットが結合されたバスケット213、及びカバー217を含んで震動で音響を出力する震動部材210と、
前記震動部材210を内部に収納して耳の外壁を通じて中低音の震動を出力する中低音伝達部材220と、
前記中低音伝達部材220を貫きながら前記震動部材210のフェースプレート211の中央部に形成されたホールに挿入されて結合される突起231を通じて前記フェースプレート211から発生された高音帯域の震動を出力するマストイド230を含み、
前記中低音伝達部材220は、この中央部にホールが形成された円筒状で構成されて、前記円筒状の円周方向の内側に区画された隔壁221を含んで前記隔壁221の一側部に前記震動部材210を収納して耳の外壁に中低音帯域の音を出力し、
前記中低音伝達部材220の隔壁221の他側部に設けられる前記マストイド230の突起231を通じて耳の中心部に高音帯域の音を出力することを特徴にする震動型イヤホン。
【請求項２】
請求項１に記載の震動型イヤホンにおいて、
前記中低音伝達部材220は前記震動部材210のカバー217までを包むことを特徴にする震動型イヤホン。
【発明の詳細な説明】
【技術分野】
【０００１】
本発明は震動型イヤホンに関し、特にマストイドを通じて高音帯域の震動を出力するとともに円筒状の中低音伝達部材を通じて中低音帯域の震動を出力することによりイヤホンから出力される音響の效率を向上させる震動型イヤホンに関する。
【背景技術】
【０００２】
一般的に、人間の耳に聞こえる音は、波動の形態で伝達し、人間の耳に伝達した波動の形態の音は、空気の分子を動かして人間の鼓膜を震動させることにより人間が音を聞くことができる。
すなわち、波動の形態の音は、人間の外耳道である耳孔を通じて入り込みて鼓膜を震動させることにより鼓膜内側の内耳の細胞が脳へ震動を伝達するようになって人間が音を聞くことができる。
この時、人間が聞くことができる音の周波数範囲は、20Hz〜2,000Hzであり、人間の聴覚に適した音の周波数範囲は、125Hz〜8,000Hzであり、これを会話音域と言って、人間が互いに話し合うのに主に使われる音の周波数範囲は、500Hz〜2,000Hzである。
また、正常人は、20Hz〜20,000Hzの周波数範囲内のすべての音を聞くことができるが、外耳及び中耳の異常による聴覚障害者、老人性難聴者、職業性難聴者などの難聴者は、すべての波長または特定の波長の音をよく聞くことができない。
このような難聴者の鼓膜の損傷を最小化するための従来の骨伝導イヤホンが大韓民国特許出願第2006-57123号の従来技術に開示されている。
【０００３】
図1は、従来の骨伝導イヤホンの分解斜視図であり、図2は、従来の骨伝導イヤホンの結合断面図である。
図1、2に示すように、従来の骨伝導イヤホン100は、円盤状の下部カバー110と、上記下部カバー110に結合されて上下方向に開放された円筒状のケース120と、上記ケース120の内側において下部カバー110の上に確実に取り付けられる鉄心130と、上記鉄心130の外側に位置されて電気信号を震動信号に変換するボイスコイル140と、上記ボイスコイル140の外側に結合されて震動信号を増幅するマグネット150と、上記マグネット150の上部において上記ボイスコイル140の外側に結合される震動金属リング160と、上記ボイスコイル140の上部に結合される下部マストイド170と、上記下部マストイド170の上部に結合される震動板180と、上記下部マストイド170及び震動板180に結合される上部マストイド190とから構成されている。
なお、前述のように構成された従来の骨伝導イヤホン100は、電気信号がボイスコイル140に伝達すれば、上記ボイスコイル140がマグネット150との引力または斥力によって上下方向に震動するようになって、このような震動は、金属リング160によってもっと増幅されて上記下部マストイド170に伝達する。
また、上記下部マストイド170の震動は、震動板180によって最大に上下方向に震動するようになって、結局、上部マストイド190を通じて人体の頭蓋骨に高音が出力されるようになる。
【発明の概要】
【発明が解決しようとする課題】
【０００４】
しかし、前述のような従来の骨伝導イヤホンは、耳に接触されるイヤホンの中央部のみにマストイドが震動して高音帯域の音響のみを出力するので、耳に接触されるイヤホンの中央部には、音響がよく聞こえるが、耳の外側部分には、音響が弱く伝達するので、使用者にはイヤホンを通じてサラウンドなしに鈍重な高音の音響だけが伝達するという問題がある。
一方、一般的なイヤホン構造において、コイルが位した内側では高音を、コイルの外側ではダイアプラムを通じて中低音を発生するようになるのに、イヤホンのような小型のユニットではダイアプラムの大きさによる制限によって中低音の音に限界があるという問題がある。
【０００５】
本発明は、前述のような問題を解決するためのこととして、その目的はマストイドを通じて耳の中心部に高音帯域の震動を出力するとともに、震動部材をくるんでいる円筒状の中低音伝達部材を通じてグィビョックに40%程度の中低音帯域の震動を出力することによりイヤホンから出力される音響の效率を最大に向上させる震動型イヤホンを提供することである。
【課題を解決するための手段】
【０００６】
上記の目的を果たすための本発明における震動型イヤホンは、震動を音響に変換して伝導する震動型イヤホン200として、フェースプレート211、ボイスコイル212、マグネットが結合されたバスケット213、及びカバー217を含んで震動で音響を出力する震動部材210と、上記震動部材210を内部に収納して耳の外壁を通じて中低音の震動を出力する中低音伝達部材220と、上記中低音伝達部材220を貫きながら上記震動部材210のフェースプレート211の中央部に形成されたホールに挿入されて結合される突起231を通じて上記フェースプレート211から発生された高音帯域の震動を出力するマストイド230とを含む。
【０００７】
望ましくは、上記中低音伝達部材220は、耳の内部の肌に接触するようにカバー217までを包む。
【０００８】
もっと望ましくは、上記マストイド230は、耳の中心部に高音帯域の音を出力し、上記中低音伝達部材220は耳の外壁に中低音帯域の音を出力する。
【発明の効果】
【０００９】
本発明における震動型イヤホンによれば、マストイドを通じて耳の中心部に高音帯域の音を出力するとともに、震動部材をくるんでいる円筒状の中低音伝達部材を通じてグィビョックに震動で中低音帯域を肌と骨を通じて内耳へ伝達することによりイヤホンから出力される音響の效率を最大に向上させるだけでなく鼓膜の損傷を減らしてくれることができる。
また、一般的なイヤホンは耳を阻んでダイヤフラムが持続的に耳の内部へボムピング(bumping)するために、頭をぼうっとなっている副作用があるが、本発明はこのような問題を解決する効果もある。
上記の目的外に本発明の他の目的及び利点は、添付した図面を参照して、実施の形態について詳細な説明を通じて明白に現われるようになる。
【図面の簡単な説明】
【００１０】
【図１】従来の骨伝導イヤホンの分解斜視図。
【図２】従来の骨伝導イヤホンの結合断面図。
【図３】本発明における震動型イヤホンの分解斜視図。
【図４】本発明における震動型イヤホンの結合断面図。
【発明を実施するための形態】
【００１１】
以下、添付した図面を参照して、本発明の望ましい実施の形態における震動型イヤホンについて詳細に説明する。
【００１２】
図3は、本発明における震動型イヤホンの分解斜視図であり、図4は、本発明における震動型イヤホンの結合断面図である。
図3及び図4に示すように、本発明の一つの実施の形態における震動型イヤホン200は、震動部材210と、中低音伝達部材220と、マストイド230とを含む。
ここで、震動部材210は、震動で音響を出力する公知の振動子として、フェースプレート211と、ボイスコイル212と、マグネットが結合されたバスケット213と、震動用板スプリング214と、PCB基板215と、ケース216と、カバー217とを含む。
【００１３】
具体的に、上記フェースプレート211は、震動型イヤホン200の震動による音響を人間の耳の内部へ伝達する手段として、シリコーンのような軟質材料から構成されてこの中央部にホールが形成されて、震動型イヤホン200の内部で震動されて伝達する音響が耳の内部の肌へ柔らかく伝達する。
この時、上記フェースプレート211は、後述するケース216と関係なく、上記震動部材210の本体になることもできる。
【００１４】
ボイスコイル212は、上記フェースプレート211の内部に確実に取り付けられた後、耐熱性ゴム系の強力接着剤によって附着してPCB基板の+、-引出線(不図示)を通じて入力される音響に対する電気信号を印加して震動型イヤホン200を駆動させる。
すなわち、上記ボイスコイル212は、電流の強さ及びマグネットの磁性によって所定の周波数帯域で震動する役目をする。
【００１５】
バスケット213は、上記ボイスコイル212側に設けられ、内部にマグネット(不図示)を内蔵して音の一次的な減殺現象を防止するとともに空気の流れをイルバングヒャングで転換させるように構成される。
すなわち、上記バスケット213は、内部が陷沒された筐の形状で構成されてマグネットを収納しているし、上記バスケットとマグネットは空間的に離隔されているし、この離隔されたバスケットとマグネットの間に上記ボイスコイル212が位置される。
この時、上記マグネットは、この中央部にホールが形成されている形状として、磁性を持って、金属材質のバスケット213に磁力によって附着するとかポンディングによって結合されて固定される。
ここで、本明細書では、マグネットの中央部にホールが形成されているという説明しているが、必ずホールが形成されなくて、いろいろな形状で変形されることができる。
【００１６】
震動用板スプリング214は、この中央部に形成されたホールを通じて上記バスケット213と結合されて、上記ボイスコイル212から発生される音響を柔らかい震動に変換させる。
【００１７】
PCB基板215は、震動型イヤホン200で音響が出力されることができるように電子部品が室長され、+、-引出線(不図示)を通じて上記ボイスコイル212と連結している。
【００１８】
ケース216は、上記フェースプレート211、ボイスコイル212、マグネットが結合されたバスケット213、震動用板スプリング214、及びPCB基板215を収容して保護する外観を持つ。
この時、本明細書では、上記ケース216が上記震動部材210を収容して保護するという説明しているが、上記フェースプレート211が上記震動部材210内の構成要素を収容して保護することもできる。
【００１９】
カバー217は、上記ケース216の背面に附着して音響が上記フェースプレート211の方向だけに出力されることができるようにする。
【００２０】
一方、中低音伝達部材220は、この中央部にホールが形成されて円筒状で構成され、円筒状の円周方向の内側に区画隔壁221を含んで、上記隔壁221の一側部によって上記フェースプレート211、ボイスコイル212、バスケット213、震動用板スプリング214、PCB基板215、ケース216、及びカバー217を収容している上記震動部材210を内部に収納し、耳の外壁を通じて中低音帯域の音響を伝達する。
この時、上記中低音伝達部材220は、シリコーン材質のような軟質材料であり、人間の耳の内部に密着される部位である震動部材210のカバー217までを包む。
【００２１】
一方、マストイド230は、この中央部から突き出された突起231を含むキャップ形状として、上記中低音伝達部材220の隔壁221の他側部に設けられ、この突起231が上記中低音伝達部材220の隔壁221のホールを貫きながら上記震動部材210のフェースプレート211の中央部に形成されたホールに挿入及び結合され、上記フェースプレート211から発生された高音帯域の音である震動と音響を出力する。
この時、本発明における震動型イヤホン200は、上記マストイド230を通じて耳の中心部に60%の高音帯域の音を出力し、上記中低音伝達部材220を通じて耳の外壁に40%の中低音帯域の音を出力して鼓膜の損傷を減らしてくれ、立体感ある音響を提供する。
【００２２】
以下、前述のように構成された本発明における震動型イヤホン200の動作について説明する。
先に、PCB基板215の+、-引出線を通じて外部からの電気的な音響信号がボイスコイル212に印加される。
これにより、上記ボイスコイル212で発生される磁力とバスケット213内のマグネットでの磁界が相互作用して吸引及び反撥する物理的な震動力が発生するによってボイスコイル212とマグネットが上下で震動するようになる。
この時、ボイスコイル212では、音響と震動が発生するようになって、接合されられたフェースプレート211に伝達する。
なお、震動用板スプリング214は、上記ボイスコイル212と連動してマグネットが動くことを柔らかい震動に変換させる。
【００２３】
以後、上記フェースプレート211に伝達した震動はマストイド230を通じて高音帯域の震動音響を出力して、中低音伝達部材220を通じて中低音帯域の震動音響を出力することによりまた最大限の震動効果で人間の鼓膜の損傷を最小化することにより立体感がある音響を伝達する。
【００２４】
以上では本発明の一つの実施の形態によって本発明を説明したが、本発明が属する技術分野で通常の知識を持った者が本発明の技術的思想を逸脱しない範囲において変更及び変形したことも本発明に属することは当然である。
すなわち、前述のような本発明の一つの実施の形態では、震動型イヤホンを一例として説明しているが、スピーカー、骨伝導スピーカー、及び電子製品のスピーカーに適用することができる。
【符号の説明】
【００２５】
210  震動部材
211  フェースプレート
212  ボイスコイル
213  バスケット
214  震動板
215  PCB基板
216  ケース
217  カバー
220  中低音伝達部材
230  マストイド
【図１】
2012529835.tif 000003
【図２】
2012529835.tif 000004
【図３】
2012529835.tif 000005
【図４】
2012529835.tif 000006
【国際調査報告】
2012529835.tif 000007
2012529835.tif 000008
2012529835.tif 000009
2012529835.tif 000010